(57)【要約】【課題】特定流量パターン判定時に継続使用時間短縮を行うガス遮断装置を提供することを目的とする。【解決手段】ガス流量を計測流量計測手段１と、その計測流量に応じた継続使用時間を設定する継続使用時間設定手段２と、その継続使用時間をカウントする継続使用時間カウント手段３と、その継続使用時間カウント手段の値が０、もしくはオーバーした時にガス通路を遮断するガス遮断手段４と、前記流量計測手段１にて計測した流量が特定流量パターンの時には前記継続使用時間設定手段２が設定した継続使用時間よりも短い時間を設定する特定流量パターン判定手段５とを有するもので、ガス遮断装置の安全性を一段と向上することができる。【選択図】図１
2007240072.tif 000002
【特許請求の範囲】
【請求項１】
ガス機器へ至るガス通路のガス流量を計測する流量計測手段と、この流量計測手段で計測した流量に応じた継続使用時間を設定する継続使用時間設定手段と、前記継続使用時間をカウントする継続使用時間カウント手段と、前記継続使用時間カウント手段の値が０もしくはオーバーした時にガス通路を遮断するガス遮断手段と、前記流量計測手段にて計測した流量が特定流量パターンの時には前記継続使用時間設定手段が設定した継続使用時間よりも短い時間を設定する特定流量パターン判定手段とを有するガス遮断装置。
【発明の詳細な説明】
【技術分野】
【０００１】
本発明は、ガス機器へのガス供給時に特定流量パターンと判定した場合には速やかにガス供給を停止するようにしたガス遮断装置に関するものである。
【背景技術】
【０００２】
従来のこの種のガス遮断装置は、例えば、図２に示すように、ガス機器へ至るガス通路の流量を流量計測手段２１で計測するようにし、また、この流量計測手段２１で計測された流量に応じて継続使用時間設定手段２２が予め決められた継続使用時間を設定するようにしていた。
【０００３】
そして、継続使用時間は継続使用時間カウント手段２３でカウントされ、その値が０、もしくはオーバーした時にガス遮断装置２４を作動させ、ガス機器へのその後のガス供給を遮断し、安全性を確保するようにしていた（例えば、特許文献１参照）。
【０００４】
さらに述べると、一般的にマイクロコンピュータを搭載したガス遮断装置は、ガス事故を未然に防止するために、ガス流量の異常状態（例えば、ガス流量が異常に多い、一定ガス流量の使用時間が異常に長い等）を判定した時に、ガス通路を遮断する安全機能を有する。その機能の一つとして継続使用時間遮断がある。この機能は、ガス器具の消し忘れ等一定のガス流量を連続して長時間使用し続けると、ガス器具が異常時間使用されたと判断してガス通路を自動的に遮断し、安全を確保するものである。
【特許文献１】特開平１０−７３２４７号公報
【発明の開示】
【発明が解決しようとする課題】
【０００５】
しかしながら上記の構成では下記問題点がある。
【０００６】
すなわち、同じようなガス機器、例えばバランス風呂釜と５号小型湯沸かし器の場合（約１００００Ｋｃａｌ／ｈ）、連続して使用する時間が一般的に違うにも拘わらず、従来のガス遮断装置の構成では同じ継続使用時間になってしまう。その流量では風呂を沸かす時間を確保するため、ＬＰでは１２０〜３００分、都市ガスでは１００〜３９０分の継続使用時間が設定される。その結果バランス釜ではなく古い５号小型湯沸かし器が使用された場合にも、同じ時間の継続使用時間が設定され、その最大時間使用時にはＣＯ発生による中毒事故が発生する問題点があった。
【０００７】
本発明は前記従来の課題を解消したもので、より安全性の高いガス遮断装置を提供することを目的とする。
【課題を解決するための手段】
【０００８】
この課題を解決するために本発明は、ガス機器へ至るガス通路のガス流量を計測する流量計測手段と、この流量計測手段で計測した流量に応じた継続使用時間を設定する継続使用時間設定手段と、前記継続使用時間をカウントする継続使用時間カウント手段と、前記継続使用時間カウント手段の値が０もしくはオーバーした時にガス通路を遮断するガス遮断手段と、前記流量計測手段にて計測した流量が特定流量パターンの時には前記継続使用時間設定手段が設定した継続使用時間よりも短い時間を設定する特定流量パターン判定手段とを有するものである。
【０００９】
したがって、ガスの流量に応じた継続使用時間設定時において、特定流量パターンと判
定した場合には継続使用時間を予め決められた継続使用時間よりも短く設定することにより、従来よりも安全なガス遮断装置を提供することができる。
【発明の効果】
【００１０】
本発明は、特定流量パターンと判定した場合には継続使用時間を予め決められた継続使用時間よりも短く設定する事ことより、ガス遮断装置としての安全性を大いに高めることができるものである。
【発明を実施するための最良の形態】
【００１１】
上記の目的を達成すべく本発明のガス遮断装置は、ガス機器へ至るガス通路のガス流量を計測する流量計測手段と、この流量計測手段で計測した流量に応じた継続使用時間を設定する継続使用時間設定手段と、前記継続使用時間をカウントする継続使用時間カウント手段と、前記継続使用時間カウント手段の値が０もしくはオーバーした時にガス通路を遮断するガス遮断手段と、前記流量計測手段にて計測した流量が特定流量パターンの時には前記継続使用時間設定手段が設定した継続使用時間よりも短い時間を設定する特定流量パターン判定手段とを有する。
【００１２】
したがって、ガスの流量に応じた継続使用時間設定時において、特定流量パターンと判定した場合には継続使用時間を予め決められた継続使用時間よりも短く設定することができ、安全なガス遮断装置が提供できる。
【００１３】
以下、本発明の実施の形態を添付図面を参照して説明する。なお、本実施の形態によって本発明が限定されるものではない。
【００１４】
（実施の形態）
図１において、ガス機器へ至るガス通路の流量を流量計測手段１で計測するようにし、また、この流量計測手段１で計測された流量に応じて継続使用時間設定手段２が予め決められた継続使用時間を設定するようにしている。
【００１５】
そして、継続使用時間は継続使用時間カウント手段３でカウントされ、その値が０、もしくはオーバーした時にガス遮断装置４を作動させ、ガス機器へのその後のガス供給を遮断するものである。
【００１６】
また、流量計測手段１で計測された流量より、流量の変化量（計測毎の流量の差分）や、使用開始後から一定期間での流量変化のパターンデータを特定流量パターン判定手段５で判定し、例えば５号小型湯沸器といった特定流量パターンと判定した場合、ガス消費流量に応じた予め決められている継続使用時間を設定するのではなく、より短い継続使用時間を継続使用時間カウント手段３で自動的に設定する事により、安全を確保できることとなる。
【００１７】
短い継続使用時間は一律に決めてもいいし、予め決められている継続使用時間を一律の定数で割っても良い。
【００１８】
これにより、ガスの流量に応じた継続使用時間設定時において、特定流量パターンと判定した場合には継続使用時間を予め決められた継続使用時間よりも短く設定する事により、安全なガス遮断装置を提供することができる。
【産業上の利用可能性】
【００１９】
本発明にかかる特定流量パターン判定時での継続使用時間短縮機能付のガス遮断装置は、例えば電力量を計測し使用量を積算する電力計や水道の使用量を計測する水道メータ等の
用途に適用できる。
【図面の簡単な説明】
【００２０】
【図１】本発明の実施の形態１のガス遮断装置の制御ブロック図
【図２】従来のガス遮断装置の制御ブロック図
【符号の説明】
【００２１】
１  流量計測手段
２  継続使用時間設定手段
３  継続使用時間カウント手段
４  ガス遮断手段
５  特定流量パターン判定手段
【図１】
2007240072.tif 000003
【図２】
2007240072.tif 000004